(57)【特許請求の範囲】
【請求項１】
給湯路から給湯される湯と給水路から給水される水とを混合調整して設定温度の湯水を出湯するミキシングバルブと、
このミキシングバルブに給湯される湯の温度を検知する湯温検知手段と、
前記ミキシングバルブから出湯される湯水の温度を検知する出湯温度検知手段と、
前記湯温検知手段で検知される湯温が基準温度より高いときに前記出湯温度検知手段で検知される出湯温度を設定温度に補正するように前記ミキシングバルブを制御する補正制御手段と、
前記湯温検知手段で検知される湯温が基準温度より低くなったときにその時点の混合調整状態を維持するように前記ミキシングバルブを制御するとともに、湯温検知手段で検知される湯温が基準温度より高くなった後のミキシングバルブからの最初の出湯時に維持している混合調整状態で出湯を開始させた後に前記補正制御手段による制御に戻す補正制限制御手段と
を備えていることを特徴とする給湯装置。
【請求項２】
湯を沸き上げて貯湯するとともに湯を給湯路に給湯する貯湯タンクを有する電気温水器を備え、
湯温検知手段は、電気温水器の貯湯タンク内の湯温を検知する
ことを特徴とする請求項１記載の給湯装置。
【請求項３】
給湯路から給湯される湯と給水路から給水される水とを混合調整して設定温度の湯水を出湯するミキシングバルブと、
前記ミキシングバルブから出湯される湯水の温度を検知する出湯温度検知手段と、
この出湯温度検知手段で検知される出湯温度を設定温度に補正するように前記ミキシングバルブを制御する補正制御手段と、
設定温度の変更により新たな設定温度が前の設定温度より高温側に設定された後のミキシングバルブからの出湯開始時に、前の設定温度より高くかつ新たな設定温度より低い温度に補正するように前記ミキシングバルブを制御した後、前記補正制御手段による制御に移行させる補正制限制御手段と
を備えていることを特徴とする給湯装置。
【請求項４】
ミキシングバルブから出湯される湯水を浴槽に導く浴槽用給湯路を備え、
補正制限制御手段は、前記浴槽に浴槽用給湯路を通じて高温の差し湯をするときにミキシングバルブを制御する
ことを特徴とする請求項３記載の給湯装置。
【請求項５】
補正制御手段は、ミキシングバルブからの出湯温度をこの出湯温度より高温側の設定温度に補正するときに出湯温度と設定温度との温度差より少ない温度分ずつ高温側に順次補正し、ミキシングバルブからの出湯温度をこの出湯温度より低温側の設定温度に補正するときに出湯温度と設定温度との温度差分を低温側に補正する
ことを特徴とする請求項１ないし４いずれか記載の給湯装置。
【発明の詳細な説明】
【０００１】
【発明の属する技術分野】
本発明は、湯と水とを混合調整するミキシングバルブを用いて設定温度の湯水を給湯する給湯装置に関する。
【０００２】
【従来の技術】
従来、例えば、特開平６−１４７６４３号公報に記載されているように、湯水を沸き上げて貯湯する貯湯タンクを有する電気温水器を給湯源とし、この貯湯タンクから給湯路を通じて給湯される湯と給水路を通じて給水される水とを混合調整して設定温度の湯水を出湯するミキシングバルブを用いる給湯装置がある。
【０００３】
このような給湯装置では、ミキシングバルブから出湯される湯水の温度を検知して、この出湯温度を設定温度に補正するようにミキシングバルブをフィードバック制御し、設定温度の湯水を給湯している。そして、給湯を終了した時点の混合調整状態を維持しておいて、次回の給湯時に維持しておいた混合調整状態でミキシングバルブから出湯させることにより、給湯直後から設定温度の湯水を給湯できるようにしている。
【０００４】
【発明が解決しようとする課題】
上述のように、従来の給湯装置では、例えば、貯湯タンクの湯切れが生じたり沸上途中での給湯時に、貯湯タンクからミキシングバルブに給湯される湯の温度が例えば４２℃の設定温度より低くなると、ミキシングバルブからの出湯温度が設定温度より低くなるため、湯の混合比を多くして出湯温度を高くするようにミキシングバルブを調整し、給湯終了時点でその混合調整状態を維持し、そして、貯湯タンクの湯温が例えば７０℃などの高温に沸き上げられた後に給湯を開始すると、ミキシングバルブは湯の混合比を多くして出湯温度を高くするように混合調整状態が維持されているので、給湯開始直後にミキシングバルブから設定温度より高温の湯水を出湯してしまい、ミキシングバルブからの出湯温度を適切に調整できない問題がある。
【０００５】
また、ミキシングバルブは、出湯温度を設定温度に補正するようにフィードバック制御しているので、給湯の設定温度の変更により、例えば、新たな設定温度が前の設定温度より高温側に設定されると、その変更後の給湯開始直後に、設定温度に向けて湯の混合比を多くして出湯温度を高くするようにミキシングバルブを調整することで、図８のａ部分に示すように、ミキシングバルブからの出湯温度が設定温度を一時的に大きく越えてしまい、ミキシングバルブからの出湯温度を適切に調整できない問題がある。
【０００６】
また、給湯開始後、ミキシングバルブからの出湯温度を設定温度に補正する際、出湯温度と設定温度との温度差分を上下させるように制御するので、図８のｂ部分に示すように、設定温度に対して出湯温度が上下し、設定温度に出湯温度が収束するまでに時間がかかる問題がある。
【０００７】
本発明は、このような点に鑑みなされたもので、ミキシングバルブからの出湯温度を適切に調整できる給湯装置を提供することを目的とする。
【０００８】
【課題を解決するための手段】
請求項１記載の給湯装置は、給湯路から給湯される湯と給水路から給水される水とを混合調整して設定温度の湯水を出湯するミキシングバルブと、このミキシングバルブに給湯される湯の温度を検知する湯温検知手段と、前記ミキシングバルブから出湯される湯水の温度を検知する出湯温度検知手段と、前記湯温検知手段で検知される湯温が基準温度より高いときに前記出湯温度検知手段で検知される出湯温度を設定温度に補正するように前記ミキシングバルブを制御する補正制御手段と、前記湯温検知手段で検知される湯温が基準温度より低くなったときにその時点の混合調整状態を維持するように前記ミキシングバルブを制御するとともに、湯温検知手段で検知される湯温が基準温度より高くなった後のミキシングバルブからの最初の出湯時に維持している混合調整状態で出湯を開始させた後に前記補正制御手段による制御に戻す補正制限制御手段とを備えているものである。
【０００９】
そして、この構成により、給湯される湯温が基準温度より高いときに、出湯温度を設定温度に補正するようにミキシングバルブを制御し、また、給湯される湯温が基準温度より低くなったときに、その時点の混合調整状態を維持するようにミキシングバルブを制御するとともに、給湯される湯温が基準温度より高くなった後のミキシングバルブからの最初の出湯時に、維持している混合調整状態で出湯を開始させた後に出湯温度を設定温度に補正する制御に戻すので、ミキシングバルブからの出湯温度が設定温度より高温になるのを低減し、ミキシングバルブからの出湯温度を適切に調整可能とする。
【００１０】
請求項２記載の給湯装置は、請求項１記載の給湯装置において、湯を沸き上げて貯湯するとともに湯を給湯路に給湯する貯湯タンクを有する電気温水器を備え、湯温検知手段は、電気温水器の貯湯タンク内の湯温を検知するものである。
【００１１】
そして、この構成により、貯湯タンク内の湯温が給湯により低下したり沸き上げにより上昇することで湯温の変化が生じる電気温水器の特性に適切に対応可能とする。
【００１２】
請求項３記載の給湯装置は、給湯路から給湯される湯と給水路から給水される水とを混合調整して設定温度の湯水を出湯するミキシングバルブと、前記ミキシングバルブから出湯される湯水の温度を検知する出湯温度検知手段と、この出湯温度検知手段で検知される出湯温度を設定温度に補正するように前記ミキシングバルブを制御する補正制御手段と、設定温度の変更により新たな設定温度が前の設定温度より高温側に設定された後のミキシングバルブからの出湯開始時に、前の設定温度より高くかつ新たな設定温度より低い温度に補正するように前記ミキシングバルブを制御した後、前記補正制御手段による制御に移行させる補正制限制御手段とを備えているものである。
【００１３】
そして、この構成により、出湯温度を設定温度に補正するようにミキシングバルブを制御し、また、設定温度の変更により新たな設定温度が前の設定温度より高温側に設定された後のミキシングバルブからの出湯開始時に、前の設定温度より高くかつ新たな設定温度より低い温度に補正するようにミキシングバルブを制御した後、出湯温度を設定温度に補正するように制御に移行させるので、ミキシングバルブからの出湯温度が設定温度より高温になるのを防止し、ミキシングバルブからの出湯温度を適切に調整可能とする。
【００１４】
請求項４記載の給湯装置は、請求項３記載の給湯装置において、ミキシングバルブから出湯される湯水を浴槽に導く浴槽用給湯路を備え、補正制限制御手段は、前記浴槽に浴槽用給湯路を通じて高温の差し湯をするときにミキシングバルブを制御するものである。
【００１５】
そして、この構成により、浴槽に浴槽用給湯路を通じて高温の差し湯をするときに、設定温度より高温の湯水を差し湯するのを防止し、浴槽への給湯用として適切に対応可能とする。
【００１６】
請求項５記載の給湯装置は、請求項１ないし４いずれか記載の給湯装置において、補正制御手段は、ミキシングバルブからの出湯温度をこの出湯温度より高温側の設定温度に補正するときに出湯温度と設定温度との温度差より少ない温度分ずつ高温側に順次補正し、ミキシングバルブからの出湯温度をこの出湯温度より低温側の設定温度に補正するときに出湯温度と設定温度との温度差分を低温側に補正するものである。
【００１７】
そして、この構成により、ミキシングバルブからの出湯温度をこの出湯温度より高温側の設定温度に補正するときに出湯温度と設定温度との温度差より少ない温度分ずつ高温側に順次補正するので、出湯温度が設定温度より高温にならないようにしながら、出湯温度を設定温度に迅速に補正し、さらに、ミキシングバルブからの出湯温度をこの出湯温度より低温側の設定温度に補正するときに出湯温度と設定温度との温度差分を低温側に補正するので、出湯温度が設定温度を越えるような場合には速やかに出湯温度を低下させる。
【００１８】
【発明の実施の形態】
以下、本発明の一実施の形態を図面を参照して説明する。
【００１９】
図１は給湯装置の浴槽側の構成図を示し、屋内の浴室などに浴槽11が配設され、屋外などに給湯源としての電気温水器12、および湯はりユニット13が配設されている。
【００２０】
電気温水器12は、先止押上式の給水給湯方式を採用しており、貯湯タンク21内の底部側にヒータ22が配設されており、貯湯タンク21の下部に水源側の水道に直結された給水路としての給水管23の配管部23a が接続され、貯湯タンク21の上部に湯はりユニット13や、浴室のシャワーや湯水混合栓、台所の湯水混合栓および洗面所の湯水混合栓などの各給湯場所に導かれる給湯路としての給湯管24が接続されている。この貯湯タンク21の上下方向の複数箇所には、残湯量、湯温、給水温度などを検知する湯温検知手段としての複数の温度検知センサ25が配設されている。
【００２１】
そして、先止押上式の電気温水器12では、ヒータ22で貯湯タンク21内の湯水を設定温度に沸き上げ、各給湯場所からの出湯時に貯湯タンク21の下部に給水される水圧で湯水が押し上げられて給湯管24を通じて給湯する。貯湯タンク21内の上部の湯層と下部の常温水層とは湯水混合層を介して分離されており、湯の使用に伴って混合層が上昇する。
【００２２】
また、湯はりユニット13は、モータ31a を駆動源とする電動式のミキシングバルブ31を有し、このミキシングバルブ31に給水管23の配管部23b と給湯管24とがそれぞれ接続されている。ミキシングバルブ31により、給水管23を通じて給水される水と電気温水器12から給湯管24を通じて給湯される湯とが混合されるとともに、水と湯との混合割合により出湯される湯温が設定温度に調整される。
【００２３】
ミキシングバルブ31から湯水が出湯される配管32はホッパ33の上部に接続され、このホッパ33は、断水などで給水圧力が低下した場合に給水管23側および給湯管24側と浴槽11側とを分離するもので、浴槽11より高い位置に設置され、ホッパ33の下部側に湯水を流す配管34が接続されている。ホッパ33内には、配管32側から配管34側への湯水の流通路を開閉する例えばソレノイドやモータを駆動源とした給湯用電動弁35（図４に示す）が配設されている。
【００２４】
ホッパ33からの配管34には、配管34を流れる給湯量を検知する流量センサ36、および配管34を流れる湯水の湯温すなわちミキシングバルブ31からの出湯温度を検知する出湯温度検知手段としてのサーミスタ37が配設されている。
【００２５】
ホッパ33からの配管34の先端は、流路切換手段としての流路切換用電動弁38を介して、循環路39に接続されている。循環路39は、往き配管40および戻り配管41を有し、これら往き配管40および戻り配管41の一端側が浴槽11に設置される循環金具42に一体的に接続され、他端側が流路切換用電動弁38に接続されている。往き配管40には、流路切換用電動弁38側から浴槽11側に往き配管40内の湯水を強制的に送って循環路39内の湯水を強制的に循環させる循環ポンプ43、循環路39内の湯水の流れを検知するフロースイッチ44、循環路39内の湯水の温度を検知するふろサーミスタ45、循環路39内を流れる湯水を加熱保温する保温ヒータ46が配設されている。戻り配管41には、浴槽11内の水位を検知するための圧力センサ（水位センサ）47が配設されている。
【００２６】
流路切換用電動弁38は、給湯側の配管34と往き配管40とを接続する流路、給湯側の配管34と戻り配管41とを接続する流路、給湯側の配管34と往き配管40および戻り配管41とを接続する流路、往き配管40と戻り配管41とを接続する流路の４つの流路に切り換える。
【００２７】
なお、ミキシングバルブ31の出湯側に接続された配管32、ホッパ33、配管34および循環路39などが浴槽用給湯路48として構成される。
【００２８】
また、図２に給湯装置の給湯側の構成図を示し、モータ51a を駆動源とする電動式のミキシングバルブ51を有し、このミキシングバルブ51に給水管23の配管部23c と給湯管24とがそれぞれ接続されている。ミキシングバルブ51により、給水管23を通じて給水される水と電気温水器12から給湯管24を通じて給湯される湯とが混合されるとともに、水と湯との混合割合により出湯される湯温が設定温度に調整される。
【００２９】
ミキシングバルブ51から湯水が出湯される配管52には、配管52を流れる給湯量を検知する流量センサ53、および配管52を流れる湯温すなわちミキシングバルブ51からの出湯温度を検知する出湯温度検知手段としてのサーミスタ54が配設されている。
【００３０】
給水管23と配管52の下流側とには、浴室のシャワー55が接続される湯水混合栓56、台所の湯水混合栓57および洗面所の湯水混合栓58などが接続されている。
【００３１】
また、図３に浴室の壁面などに配設されて湯はりユニット13を操作するリモコン61を示し、このリモコン61は、リモコン61の表面に臨む表示器62および操作部63、図示しない蓋体で開閉される操作部64を有している。表示器62には、時刻、浴槽11の湯はり設定水位（湯量）および湯温、給湯温度、その他の動作の表示などが表示されるもので、図には全ての表示箇所を同時に表示した状態を示す。操作部63には、自動湯はりの設定および設定解除を指示するふろ自動スイッチ（自動湯はりスイッチ）65、他のリモコンに対して優先を指示する優先スイッチ66、高温の差し湯を指示する高温差し湯スイッチ67、他のリモコンでの呼出音の発生を指示する呼出スイッチ68が配設されている。操作部64には、浴槽11内の湯温を調整設定するふろ湯温スイッチ69、浴槽11の湯はり設定水位を調整設定するふろ湯量スイッチ70、給湯温度を調整設定する給湯スイッチ71、足し湯を指示する足し湯スイッチ72、差し水を指示する差し水スイッチ73、洗浄スイッチ74が配設されている。なお、ふろ自動スイッチ65、優先スイッチ66および高温差し湯スイッチ67に隣接して、各スイッチ65〜67のオン状態を表示する発光ダイオード75が配設されている。
【００３２】
また、図４に給湯装置の回路図を示し、81は制御回路で、この制御回路81は、基板82上に形成されており、補正制御手段および補正制限制御手段としてのＣＰＵ83、ＲＯＭ84、および記憶手段としてのＲＡＭ85などを有している。
【００３３】
基板82には、商用電源が漏洩遮断器86を介して接続され、商用電源を制御用電源に変換する電源トランス87が接続され、漏洩遮断器86にリミッタ88を介して接続される循環ポンプ43、および漏洩遮断器86にリミッタ88および保温ヒータ46とともに直列に配列される開閉器89が接続されている。漏洩遮断器86には湯はりユニット13内に設置される凍結防止用ヒータ90、および設定温度以下に低下したときに凍結防止用ヒータ90に通電する凍結防止サーモ91が接続されている。
【００３４】
基板82には、ミキシングバルブ31、給湯用電動弁35、流路切換用電動弁38、ミキシングバルブ51およびリモコン61が接続されているとともに、流量センサ36、フロースイッチ44、ふろサーミスタ45、圧力センサ47、流量センサ53およびサーミスタ54が接続されている。
【００３５】
また、制御回路81には、電気温水器12側の制御回路が接続され、温度検知センサ25で検知される貯湯タンク21内の湯温のデータなどが入力される。
【００３６】
そして、ＣＰＵ83は、以下の機能を有している。
【００３７】
給湯時毎すなわち各ミキシングバルブ31，51からの出湯時毎に、温度検知センサ25で検知される貯湯タンク21内の湯温が基準温度、例えば設定温度＋３℃より高いときに、サーミスタ37，54で検知される出湯温度を設定温度に補正するように各ミキシングバルブ31，51を制御する補正制御手段の機能。さらに、この補正制御手段の機能では、各ミキシングバルブ31，51からの出湯温度をこの出湯温度より高温側の設定温度に補正するときに、出湯温度と設定温度との温度差より少ない温度分、例えば温度差の１／２の温度分ずつ高温側に順次補正し、一方、ミキシングバルブ31，51からの出湯温度をこの出湯温度より低温側の設定温度に補正するときに、出湯温度と設定温度との温度差分を低温側に補正するようにする。
【００３８】
温度検知センサ25で検知される貯湯タンク21内の湯温が基準温度（設定温度＋３℃）より低くなったときにその時点の混合調整状態を維持するようにミキシングバルブ31，51を制御するとともにＲＡＭ85に記憶させ、温度検知センサ25で検知される貯湯タンク21内の湯温が基準温度（設定温度＋３℃）より高くなった後のミキシングバルブ31，51からの最初の出湯時に維持している混合調整状態すなわちＲＡＭ85に記憶している混合調整状態で出湯を開始させた後に補正制御手段による制御に戻す補正制限制御手段の機能。
【００３９】
設定温度の変更により新たな設定温度が前の設定温度より高温側に設定された後のミキシングバルブ31，51からの出湯開始時に、前の設定温度より高くかつ新たな設定温度より低い温度に補正するようにミキシングバルブ31，51を制御した後、補正制御手段による制御に移行させる補正制限制御手段の機能。この補正制限制御手段の機能では、浴槽11に対して例えば８０℃の高温の差し湯をするときに、例えば４２℃の設定温度を８０℃の設定温度に設定するとき、新たな設定温度の８０℃から所定温度、例えば−１０℃を引いた７０℃に補正するようにミキシングバルブ31を制御する。
【００４０】
次に、給湯装置の作用を説明する。
【００４１】
電気温水器12は、深夜電力時間帯などの特定時間帯において、貯湯タンク21に給水されている常温水および残湯として使われなかった湯水を設定温度に沸き上げる。
【００４２】
そして、図２において、湯水混合栓56〜58などへの給湯動作について説明する。
【００４３】
浴室のシャワー55が接続される湯水混合栓56、台所の湯水混合栓57および洗面所の湯水混合栓58などを開くと、配管52を通じて給湯される湯水と給水管23を通じて給水される水とを混合調整して設定温度の湯水を出湯する。
【００４４】
ミキシングバルブ51は、配管52に接続された湯水混合栓56〜58のいずれかが開かれ、配管52内の湯水が出湯を開始すると、給水管23を通じて給水される水と電気温水器12から給湯管24を通じて給湯される湯とを混合調整して設定温度の湯水を配管52に出湯する。
【００４５】
このとき、図６のフローチャートに示すように、給湯時毎すなわちミキシングバルブ51からの出湯時毎に、流量センサ53で配管52内を湯水が流れるのを検知すると、給湯開始と判断して、ミキシングバルブ51の制御を開始する。温度検知センサ25で検知される貯湯タンク21内の湯温が基準温度（設定温度＋３℃）より高いときには（ステップ11）、ＲＡＭ85に温度低下フラグを立てた記憶がないことを条件に（ステップ12）、所定時間毎にサーミスタ54で検知される出湯温度を設定温度に補正するようにミキシングバルブ51を制御する（ステップ13）。
【００４６】
例えば貯湯タンク12内の湯切れ時や沸き上げ途中で給湯時などのときに、温度検知センサ25で検知される貯湯タンク21内の湯温が基準温度（設定温度＋３℃）より低くなったときには、その時点の混合調整状態を維持するようにミキシングバルブ51を制御するとともにＲＡＭ85に記憶させ（ステップ14）、ＲＡＭ85に湯温低下フラグを立てる（ステップ15）。
【００４７】
湯水混合栓56〜58のいずれかが閉じられ、流量センサ53で配管52内の湯水の停止を検知すると（ステップ16）、給湯終了と判断して、ミキシングバルブ51の制御を終了する。
【００４８】
そして、貯湯タンク21内の湯温が基準温度（設定温度＋３℃）より低くなってから、基準温度（設定温度＋３℃）より高い温度まで沸き上げられた後、その最初の給湯時には、温度低下フラグが立っているので、ＲＡＭ85に記憶している混合調整状態を読み出してミキシングバルブ51を制御し（ステップ17）、温度低下フラグをクリアし（ステップ18）、出湯温度を設定温度に補正する制御に戻す。
【００４９】
このように、ミキシングバルブ51に給湯される湯温が基準温度（設定温度＋３℃）より高いときに、出湯温度を設定温度に補正するようにミキシングバルブ51を制御し、また、給湯される湯温が基準温度（設定温度＋３℃）より低くなったときに、その時点の混合調整状態を維持するようにミキシングバルブ51を制御するとともに記憶し、そして、給湯される湯温が基準温度（設定温度＋３℃）より高くなった後のミキシングバルブ51からの最初の出湯時に、維持している混合調整状態で出湯を開始させた後に出湯温度を設定温度に補正する制御に戻すので、ミキシングバルブ51からの出湯温度が設定温度より高温になるのを低減し、ミキシングバルブ51からの出湯温度を適切に調整できる。特に、貯湯タンク21内の湯温が給湯により低下したり沸き上げにより上昇することで湯温の変化が生じる電気温水器12の特性に適切に対応できる。
【００５０】
また、ステップ13で出湯温度を設定温度に補正する場合には、図７に示すように、ミキシングバルブ51からの出湯温度をこの出湯温度より高温側の設定温度に補正するときには（ステップ21）、出湯温度と設定温度との温度差の１／２の温度分ずつ高温側に順次補正し（ステップ22）、一方、ミキシングバルブ51からの出湯温度をこの出湯温度より低温側の設定温度に補正するときには、出湯温度と設定温度との温度差分を低温側に補正する（ステップ23）。
【００５１】
このように、ミキシングバルブ51からの出湯温度をこの出湯温度より高温側の設定温度に補正するときに出湯温度と設定温度との温度差の１／２の温度分ずつ高温側に順次補正するので、出湯温度が設定温度より高温にならないようにしながら、出湯温度を設定温度に迅速に補正することができ、さらに、ミキシングバルブ51からの出湯温度をこの出湯温度より低温側の設定温度に補正するときに出湯温度と設定温度との温度差分を低温側に補正するので、出湯温度が設定温度を越えるような場合には速やかに出湯温度を低下させることができる。
【００５２】
なお、湯水混合栓56〜58などへの給湯の場合には、ミキシングバルブ51からの出湯温度を例えば８０℃などの高温まで高めることはないが、設定温度の変更時に、新たな設定温度が前の設定温度より高温側に設定された後のミキシングバルブ51からの出湯開始時には、前の設定温度より高くかつ新たな設定温度より低い温度（例えば新たな設定温度から所定温度を差し引いた温度）に補正するようにミキシングバルブ51を制御した後、図６に示す制御に移行させるようにしてもよい。
【００５３】
この場合、設定温度の変更により新たな設定温度が前の設定温度より高温側に設定された後のミキシングバルブ51からの出湯開始時に、前の設定温度より高くかつ新たな設定温度より低い温度に補正するようにミキシングバルブ51を制御した後、出湯温度を設定温度に補正するように制御に移行させるので、ミキシングバルブ51からの出湯温度が設定温度より高温になるのを防止し、ミキシングバルブ51からの出湯温度を適切に調整できる。
【００５４】
次に、図１において、浴槽11への給湯動作について説明する。
【００５５】
まず、浴槽11へ給湯動作の全般に関して簡単に説明すると、リモコン61のふろ自動スイッチ65をオンすると、給湯用電動弁35を開き、ミキシングバルブ31で設定温度に混合調整した湯水を浴槽用給湯路48を通じて浴槽11に給湯する。そして、流量センサ36の検知に基づく給湯量、あるいは圧力センサ47の検知に基づく浴槽11内の水位に基づいて、湯はり設定水位まで湯はりしたら、給湯用電動弁35を閉じ、湯はりを完了する。
【００５６】
湯はり後は、所定時間毎に、流路切換用電動弁38で往き配管40と戻り配管41を接続する流路に切り換え、循環ポンプ43を駆動し、浴槽11と循環路39との間で湯水を循環させて、ふろサーミスタ45で浴槽11内の湯温を監視する。浴槽11内の湯温が設定温度より低下していたら保温ヒータ46をオンして設定温度まで保温する。
【００５７】
また、湯はり後は、浴槽11の湯水を循環させていないときに、水位センサ47で浴槽11内の水位を監視する。浴槽11内の水位が設定水位より低下したら、自動足し湯機能により設定水位まで足し湯する。すなわち、給湯用電動弁35を開き、ミキシングバルブ31で設定温度に混合調整した湯水を浴槽用給湯路48を通じて浴槽11に給湯する。そして、流量センサ36の検知に基づく給湯量、あるいは圧力センサ47の検知に基づく浴槽11内の水位に基づいて、所定の足し湯量あるいは所定の足し湯水位まで湯はりしたら、給湯用電動弁35を閉じ、足し湯を完了する。
【００５８】
また、入浴者の好みに応じて、浴槽11内の湯温を高める場合、つまり高温差し湯をする場合には、リモコン61の高温差し湯スイッチ67をオンすると、ミキシングバルブ31を高温側の例えば８０℃の湯水を出湯するように差し湯の設定温度に制御し、給湯用電動弁35を開き、ミキシングバルブ31で差し湯の設定温度に混合調整した湯水を浴槽用給湯路48を通じて浴槽11に給湯する。そして、流量センサ36の検知に基づく給湯量に基づいて、所定量の差し湯をしたら、給湯用電動弁35を閉じ、差し湯を完了する。
【００５９】
さらに、入浴者の好みに応じて、浴槽11内の水位を高める場合には、リモコン61の足し湯スイッチ72をオンすると、給湯用電動弁35を開き、ミキシングバルブ31で設定温度に混合調整した湯水を浴槽用給湯路48を通じて浴槽11に給湯する。そして、流量センサ36の検知に基づく給湯量、あるいは圧力センサ47の検知に基づく浴槽11内の水位に基づいて、所定の足し湯量あるいは所定の足し湯水位まで湯はりしたら、給湯用電動弁35を閉じ、足し湯を完了する。
【００６０】
そして、ミキシングバルブ31は、給湯用電動弁35が開かれ、浴槽用給湯路48内の湯水が出湯を開始すると、給水管23を通じて給水される水と電気温水器12から給湯管24を通じて給湯される湯とを混合調整して設定温度の湯水を浴槽用給湯路48に出湯する。
【００６１】
このとき、図６のフローチャートに示すように、給湯時毎すなわちミキシングバルブ31からの出湯時毎に、流量センサ36で浴槽用給湯路48内を湯水が流れるのを検知すると、給湯開始と判断して、ミキシングバルブ31の制御を開始する。このとき、温度検知センサ25で検知される貯湯タンク21内の湯温が基準温度（設定温度＋３℃）より高いときには（ステップ11）、ＲＡＭ85に温度低下フラグを立てた記憶がないことを条件に（ステップ12）、所定時間毎にサーミスタ37で検知される出湯温度を設定温度に補正するようにミキシングバルブ31を制御する（ステップ13）。
【００６２】
例えば貯湯タンク12内の湯切れ時や沸き上げ途中で給湯時などのときに、温度検知センサ25で検知される貯湯タンク21内の湯温が基準温度（設定温度＋３℃）より低くなったときには、その時点の混合調整状態を維持するようにミキシングバルブ31を制御するとともにＲＡＭ85に記憶させ（ステップ14）、ＲＡＭ85に湯温低下フラグを立てる（ステップ15）。
【００６３】
給湯用電動弁35が閉じられ、流量センサ37で浴槽用給湯路48内の湯水の停止を検知すると（ステップ16）、給湯終了と判断して、ミキシングバルブ31の制御を終了する。
【００６４】
そして、貯湯タンク21内の湯温が基準温度（設定温度＋３℃）より低くなってから、基準温度（設定温度＋３℃）より高い温度まで沸き上げられた後、その最初の給湯時には、温度低下フラグが立っているので、ＲＡＭ85に記憶している混合調整状態を読み出してミキシングバルブ31を制御し（ステップ17）、温度低下フラグをクリアし（ステップ18）、出湯温度を設定温度に補正する制御に戻す。
【００６５】
このように、ミキシングバルブ31に給湯される湯温が基準温度（設定温度＋３℃）より高いときに、出湯温度を設定温度に補正するようにミキシングバルブ31を制御し、また、給湯される湯温が基準温度（設定温度＋３℃）より低くなったときに、その時点の混合調整状態を維持するようにミキシングバルブ31を制御するとともに記憶し、そして、給湯される湯温が基準温度（設定温度＋３℃）より高くなった後のミキシングバルブ31からの最初の出湯時に、維持している混合調整状態で出湯を開始させた後に出湯温度を設定温度に補正する制御に戻すので、ミキシングバルブ31からの出湯温度が設定温度より高温になるのを低減し、ミキシングバルブ31からの出湯温度を適切に調整できる。特に、貯湯タンク21内の湯温が給湯により低下したり沸き上げにより上昇することで湯温の変化が生じる電気温水器12の特性に適切に対応できる。
【００６６】
また、ステップ13で出湯温度を設定温度に補正する場合には、図７に示すように、ミキシングバルブ31からの出湯温度をこの出湯温度より高温側の設定温度に補正するときには（ステップ21）、出湯温度と設定温度との温度差の１／２の温度分ずつ高温側に順次補正し（ステップ22）、一方、ミキシングバルブ31からの出湯温度をこの出湯温度より低温側の設定温度に補正するときには、出湯温度と設定温度との温度差分を低温側に補正する（ステップ23）。
【００６７】
このように、ミキシングバルブ31からの出湯温度をこの出湯温度より高温側の設定温度に補正するときに出湯温度と設定温度との温度差の１／２の温度分ずつ高温側に順次補正するので、図５のＡ部分に示すように、出湯温度が設定温度より高温にならないようにしながら、出湯温度を設定温度に迅速に補正することができ、さらに、ミキシングバルブ31からの出湯温度をこの出湯温度より低温側の設定温度に補正するときに出湯温度と設定温度との温度差分を低温側に補正するので、出湯温度が設定温度を越えるような場合には速やかに出湯温度を低下させることができる。
【００６８】
また、浴槽11に浴槽用給湯路48を通じて高温の差し湯をするとき、設定温度を湯はり時の例えば４２℃から差し湯時の例えば８０℃に変更する場合、ミキシングバルブ31からの出湯開始時に、差し湯の設定温度の８０℃から所定温度、例えば−１０℃を引いた７０℃に補正するようにミキシングバルブ31を制御し、図６に示す出湯温度を設定温度に補正する制御に移行させる。
【００６９】
このように、設定温度の変更により、新たな設定温度が前の設定温度より高温側に設定された後のミキシングバルブ31からの出湯開始時に、前の設定温度より高くかつ新たな設定温度より低い温度に補正するようにミキシングバルブ31を制御した後、出湯温度を設定温度に補正するように制御に移行させるので、図５のＢ部分に示すように、ミキシングバルブ31からの出湯温度が設定温度より高温になるのを防止し、ミキシングバルブ31からの出湯温度を適切に調整できる。特に、浴槽11に浴槽用給湯路48を通じて高温の差し湯をするときに、設定温度より高温の湯水を差し湯するのを防止でき、浴槽11への給湯用として適切に対応できる。
【００７０】
なお、ミキシングバルブ31，51に給湯される温度を判断するための基準温度は、設定温度＋３℃とすることにより配管路での熱損失を考慮しても設定温度の湯水を確実に出湯できるが、設定温度＋３℃に限らず、少なくとも設定温度以上であればよい。
【００７１】
また、ミキシングバルブ31，51からの出湯温度をこの出湯温度より高温側の設定温度に補正する場合、出湯温度と設定温度との温度差より少ない温度にするときは、温度差の１／２に限らず、装置の条件などに応じて出湯温度が設定温度を越えない値とすればよく、温度差の一定の割合を差し引いた温度としてもよい。
【００７２】
また、設定温度の変更により、新たな設定温度が前の設定温度より高温側に設定された後のミキシングバルブ31，51からの出湯開始時に、前の設定温度より高くかつ新たな設定温度より低い温度に補正する場合、差し湯時の−１０℃に限らず、装置の条件などに応じて出湯温度が設定温度を越えない値とすればよく、温度差の一定の割合を差し引いた温度としてもよい。
【００７３】
また、浴槽11内の水位が設定水位より低下したときに足し湯する自動足し湯時、あるいはリモコン61の足し湯スイッチ72をオンしたときに足し湯する手動足し湯時には、ミキシングバルブ31からの出湯温度を、湯はりの設定温度より高い温度（設定温度＋α）を設定温度として足し湯するとよい。なお、設定温度＋αは、浴槽11の残り湯量と、浴槽11内の湯温と、足し湯量とに応じて適切に設定できる。
【００７４】
そして、設定温度より高い温度の湯水を足し湯することにより、浴槽11内の湯温を高めることができるので、足し湯後に保温ヒータ46で保温動作を実行するまでの時間が延び、保温ヒータ46による保温動作の頻度が減少して節電できるとともに、保温ヒータ46のみで浴槽11の湯温を高める場合に比べて短時間に浴槽11の湯温を高めることができる。
【００７５】
この場合、ＣＰＵ83は、浴槽11に湯はりされた湯水に足し湯するとき、ミキシングバルブ31で給湯時の設定温度より高い温度に調整した足し湯を給湯する足し湯制御手段の機能を有する。
【００７６】
また、浴槽11内の湯温を高めるために高温差し湯をする場合、あるいは浴槽11内の湯温を低めるために差し水をする場合には、流路切換用電動弁38で往き配管40と戻り配管41を接続する循環流路に切り換えるとともに循環ポンプ43を駆動し、浴槽11と循環路39との間で湯水を循環させた状態で、給湯用電動弁35を開き、ミキシングバルブ31からの設定温度に混合調整した湯水を高温差し湯あるいは差し水するようにするとよい。
【００７７】
そして、浴槽11と循環路39との間で湯水を循環させた状態で高温差し湯あるいは差し水することにより、高温差し湯あるいは差し水が循環路39内を循環される湯水と混合されて浴槽11内に送り込まれるので、高温差し湯は温度が低くなり、差し水は温度が高くなり、浴槽11に入っている入浴者が高温差し湯を熱く感じたり、差し水を冷たく感じるなどの不快感を低減できる。
【００７８】
この場合、ＣＰＵ83は、浴槽11に湯はりされた湯水にミキシングバルブ31で高温側に調整された差し湯および低温側に調整された差し水のいずれかをするとき、流路切換用電動弁38でミキシングバルブ31からの給湯路と循環路39の往き配管40と戻り配管41とを接続する流路に切り換えるとともに循環ポンプ43を駆動させる制御手段の機能を有する。
【００７９】
なお、循環路39内の湯水高温差し湯あるいは差し水との混合バランスは、循環路39内の流量とミキシングバルブ31から流量によって定まり、例えばミキシングバルブ31からの流量を制御する流量制御用バルブを用いることにより混合バランスをきめこまかく調整できる。
【００８０】
【発明の効果】
請求項１記載の給湯装置によれば、給湯される湯温が基準温度より高いときに、出湯温度を設定温度に補正するようにミキシングバルブを制御し、また、給湯される湯温が基準温度より低くなったときに、その時点の混合調整状態を維持するようにミキシングバルブを制御するとともに、給湯される湯温が基準温度より高くなった後のミキシングバルブからの最初の出湯時に、維持している混合調整状態で出湯を開始させた後に出湯温度を設定温度に補正する制御に戻すので、ミキシングバルブからの出湯温度が設定温度より高温になるのを低減し、ミキシングバルブからの出湯温度を適切に調整できる。
【００８１】
請求項２記載の給湯装置によれば、請求項１記載の給湯装置の効果に加えて、貯湯タンク内の湯温が給湯により低下したり沸き上げにより上昇することで湯温の変化が生じる電気温水器の特性に適切に対応できる。
【００８２】
請求項３記載の給湯装置によれば、出湯温度を設定温度に補正するようにミキシングバルブを制御し、また、設定温度の変更により新たな設定温度が前の設定温度より高温側に設定された後のミキシングバルブからの出湯開始時に、前の設定温度より高くかつ新たな設定温度より低い温度に補正するようにミキシングバルブを制御した後、出湯温度を設定温度に補正するように制御に移行させるので、ミキシングバルブからの出湯温度が設定温度より高温になるのを防止し、ミキシングバルブからの出湯温度を適切に調整できる。
【００８３】
請求項４記載の給湯装置によれば、請求項３記載の給湯装置の効果に加えて、浴槽に浴槽用給湯路を通じて高温の差し湯をするときに、設定温度より高温の湯水を差し湯するのを防止でき、浴槽への給湯用として適切に対応できる。
【００８４】
請求項５記載の給湯装置によれば、請求項１ないし４いずれか記載の給湯装置の効果に加えて、ミキシングバルブからの出湯温度をこの出湯温度より高温側の設定温度に補正するときに出湯温度と設定温度との温度差より少ない温度分ずつ高温側に順次補正するので、出湯温度が設定温度より高温にならないようにしながら、出湯温度を設定温度に迅速に補正することができ、さらに、ミキシングバルブからの出湯温度をこの出湯温度より低温側の設定温度に補正するときに出湯温度と設定温度との温度差分を低温側に補正するので、出湯温度が設定温度を越えるような場合には速やかに出湯温度を低下させることができる。
【図面の簡単な説明】
【図１】本発明の一実施の形態を示す給湯装置の浴槽側の構成図である。
【図２】同上給湯装置の給湯側の構成図である。
【図３】同上給湯装置のリモコンの正面図である。
【図４】同上給湯装置のブロック図である。
【図５】同上給湯装置による設定温度に対する出湯温度の補正特性を示す特性図である。
【図６】同上給湯装置の給湯時のフローチャートである。
【図７】同上給湯装置の給湯時に出湯温度を設定温度に補正するフローチャートである。
【図８】従来の給湯装置による設定温度に対する出湯温度の補正特性を示す特性図である。
【符号の説明】
11    浴槽
12    電気温水器
21    貯湯タンク
23    給水路としての給水管
24    給湯路としての給湯管
25    湯温検知手段としての温度検知センサ
31，51    ミキシングバルブ
37，54    出湯温度検出手段としてのサーミスタ
48    浴槽用給湯路
83    補正制御手段および補正制限制御手段としてのＣＰＵ
【図１】
0004212077.tif 000002
【図２】
0004212077.tif 000003
【図３】
0004212077.tif 000004
【図４】
0004212077.tif 000005
【図５】
0004212077.tif 000006
【図６】
0004212077.tif 000007
【図７】
0004212077.tif 000008
【図８】
0004212077.tif 000009